(57)【要約】【課題】反射板の反射効率を維持し、放熱効果を向上させることができると共に、同時にコスト削減にも寄与するＬＥＤライトの提供。【解決手段】本考案のＬＥＤライトは、底面２１から筒状体の壁面がテーパー状に延長し、かつ底面より大きな開口面２２を有する光反射兼放熱フード２を有し、前記底面には、ＬＥＤランプの背面が密着して設けられ、また前記光反射兼放熱フード２の放熱構造が、無数の貫通孔、断面ジグザグ型の凹凸部、無数の突起、断面波型、エンボス状凹凸模様を有し、前記突起の形状が、円柱型、角柱型、円錐型、角錐型、逆角柱型、逆円錐型及び逆角錐型のいずれかを少なくとも一面に有する。更に光反射兼放熱フードが、装飾カバー１中に内蔵されていてもよい。【選択図】図２
0003162155.tif 000002
【実用新案登録請求の範囲】
【請求項１】
底面から筒状体の壁面がテーパー状に延長し、かつ底面より大きな開口面を有する光反射兼放熱フードを有し、前記底面には、ＬＥＤランプの背面が密着して設けられ、また前記光反射兼放熱フードは、放熱構造を有していることを特徴とするＬＥＤライト。
【請求項２】
前記放熱構造が、光反射兼放熱フードの内面から外面に向かって無数の貫通孔が規則的又は不規則的に設けられていることを特徴とする請求項１に記載のＬＥＤライト。
【請求項３】
前記放熱構造が、光反射兼放熱フードの開口部方向に向かって内面及び外面の少なくとも一面に断面ジグザグ型の凹凸部を有することを特徴とする請求項１に記載のＬＥＤライト。
【請求項４】
前記放熱構造が、光反射兼放熱フードの内面及び外面の少なくとも一面に無数の突起を有することを特徴とする請求項１に記載のＬＥＤライト。
【請求項５】
前記突起の形状が、円柱型、角柱型、円錐型、角錐型、逆角柱型、逆円錐型及び逆角錐型のいずれかを少なくとも一面に有することを特徴とする請求項４に記載のＬＥＤライト。
【請求項６】
前記放熱構造が、光反射兼放熱フードの開口部方向に向かって断面波型に形成されていることを特徴とする請求項１に記載のＬＥＤライト。
【請求項７】
前記波型の放熱構造面に、無数の貫通孔が規則的又は不規則的に設けられていることを特徴とする請求項６に記載のＬＥＤライト。
【請求項８】
前記放熱構造が、光反射兼放熱フードの内面及び外面の少なくとも一面に無数のエンボス状凹凸模様を有することを特徴とする請求項１に記載のＬＥＤライト。
【請求項９】
前記請求項１乃至請求項８のいずれかに記載の光反射兼放熱フードが、装飾カバー中に内蔵されていることを特徴とするＬＥＤライト。
【考案の詳細な説明】
【技術分野】
【０００１】
本考案は、改良したＬＥＤライトに関するもので、更に詳しくは、ＬＥＤランプの照度を向上乃至維持しつつ、放熱性を改良したＬＥＤライトに関する。
【背景技術】
【０００２】
近年、発光ダイオード（ＬＥＤ）の改良が進み、この発光ダイオード、即ちＬＥＤは、消費電力も従来の電球に比べて少なく、工業用はもちろんのこと、一般家庭でも電球として使用されるようになった。このような中でＬＥＤをライト光源として使用とする技術の進歩は早く、数多くの特許文献が公開されている。その一例を挙げると、一面開口した箱状の器具の底壁に白色ＬＥＤを有し、また周壁には反射部材、例えば、Ａｌ、Ｃｕなどの熱伝導率の高い金属）を備え、更に反射部材には発光スペクトル調整部（赤色蛍光体や赤色顔料を塗布）が設けられ、これにより赤色の光を発光する材料の発光効率を高めて演色性をより高めている照明器具が開示されている（例えば、特許文献１参照）。またフード、台座及び少なくとも一つの発光ダイオードを具え、該発光ダイオードを該台座表面に配置し、該フードを該台座及び該発光ダイオードを覆って配置し、該発光ダイオードの前方に該フードと結合する少なくとも一枚の多角面透孔板を設け、該発光ダイオードの照射光が、該多角面透孔板を透過することにより屈折拡散されて、照射範囲を拡大するようにしたＬＥＤ証明装置が開示されている（例えば、特許文献２参照）。
【先行技術文献】
【特許文献】
【０００３】
【特許文献１】特開２００７−５２９９４号公報（特許請求の範囲、段落００２０、段落００３１、図１）
【特許文献２】実用新案登録第３１３４３２３号（特許請求の範囲、図２）
【考案の概要】
【考案が解決しようとする課題】
【０００４】
しかしながら、前述の如き特許文献１に記載されている如き白色ＬＥＤを用いた照明器具は、白色ＬＥＤの発光色を調整することにあり、白色ＬＥＤの放熱を改良する点に関するものではない。また特許文献２に記載されているＬＥＤ照明器具は、フードと連結して多角面透光板を設けることによりＬＥＤの光照射範囲を拡散すると共に、該ＬＥＤの使用量を少なくすることにある。これに対して本考案者は、小型軽量で、かつ傘又はフードによるＬＥＤの反射効率を維持し、かつそれによる放熱効率（これを放熱効果ともいう）を向上させる放熱構造について検討したところ、傘又はフードからなる反射板に放熱手段を設けることによって反射効率を維持し、放熱効果を向上させることができると共に、同時にコスト削減にも寄与することを見出した。したがって、本考案が解決しようとする課題は、反射板の反射効率を向上乃至維持しつつ、放熱効果を向上させることができると共に、同時にコスト削減にも寄与するＬＥＤライトを提供することにある。
【課題を解決するための手段】
【０００５】
本考案の上記各課題は、以下の各考案によってそれぞれ達成される。
【０００６】
（１）底面から筒状体の壁面がテーパー状に延長し、かつ底面より大きな開口面を有する光反射兼放熱フードを有し、前記底面には、ＬＥＤランプの背面が密着して設けられ、また前記光反射兼放熱フードは、放熱構造を有していることを特徴とするＬＥＤライト。
（２）前記放熱構造が、光反射兼放熱フードの内面から外面に向かって無数の貫通孔が規則的又は不規則的に設けられていることを特徴とする前記第１項に記載のＬＥＤライト。
（３）前記放熱構造が、光反射兼放熱フードの開口部方向に向かって内面及び外面の少なくとも一面に断面ジグザグ型の凹凸部を有することを特徴とする前記第１項に記載のＬＥＤライト。
（４）前記放熱構造が、光反射兼放熱フードの内面及び外面の少なくとも一面に無数の突起を有することを特徴とする前記第１項に記載のＬＥＤライト。
（５）前記突起の形状が、円柱型、角柱型、円錐型、角錐型、逆角柱型、逆円錐型及び逆角錐型のいずれかを少なくとも一面に有することを特徴とする前記第４項に記載のＬＥＤライト。
（６）前記放熱構造が、光反射兼放熱フードの開口部方向に向かって断面波型に形成されていることを特徴とする前記第１項に記載のＬＥＤライト。
（７）前記波型の放熱構造面に、無数の貫通孔が規則的又は不規則的に設けられていることを特徴とする前記第６項請求項に記載のＬＥＤライト。
（８）前記放熱構造が、光反射兼放熱フードの内面及び外面の少なくとも一面に無数のエンボス状凹凸模様を有することを特徴とする前記第１項に記載のＬＥＤライト。
（９）前記第１項乃至第８項のいずれかに記載の光反射兼放熱フードが、装飾カバー中に内蔵されていることを特徴とするＬＥＤライト。
【考案の効果】
【０００７】
本考案の第１項に記載のＬＥＤライトによれば、底面から筒状体の壁面がテーパー状に延長し、かつ底面より大きな開口面を有する光反射兼放熱フードを有し、前記底面には、ＬＥＤランプの背面が密着して設けられ、また前記光反射兼放熱フードは、放熱構造を有していることにより、反射板の反射効率を向上乃至維持しつつ、放熱効果を向上させることができると共に、同時にコスト削減にも寄与するという優れた効果を奏するものである。また上記の本考案の第２項に記載のＬＥＤライトは、前記第１項記載の放熱構造が、光反射兼放熱フードの内面から外面に向かってに無数の貫通孔が規則的又は不規則的に設けられていることにより、放熱板の熱が、更に貫通孔を通じて放散するので、いっそう優れた放熱効果が向上するという優れた効果を奏するものである。
【０００８】
上記の本考案の第３項に記載のＬＥＤライトは、前記第１項記載の放熱構造が、光反射兼放熱フードの開口部方向に向かって内面及び外面の少なくとも一面に断面ジグザグ型の凹凸部を有することにより、ジグザグ型の凹凸部面から熱が放散するので、いっそう放熱効果が優れている。また上記の本考案の第４項に記載のＬＥＤライトは、前記第１項記載の放熱構造が、光反射兼放熱フードの内面及び外面の少なくとも一面に無数の突起を有することにより、優れた放熱効果を奏するものであり、具体的には、前記放熱構造が、上記の本考案の第５項に記載のＬＥＤライトのように、前記突起の形状が、円柱型、角柱型、円錐型、角錐型、逆角柱型、逆円錐型及び逆角錐型のいずれかを少なくとも一面に有することにより、形状の差異による効果に差こそあれ、従来のものに比して反射効率を向上乃至維持しつつ、いっそう顕著な放熱効果を有するという優れた効果を奏するものである。
【０００９】
上記の本考案の第６項に記載のＬＥＤライトは、前記第１項記載の放熱構造が、光反射兼放熱フードの開口部方向に向かって断面波型に形成されていることにより、平面板に比べて優れた放熱効率を有するものが得られる。上記の本考案の第７項に記載のＬＥＤライトは、前記第６項記載の波型の放熱構造面に、無数の貫通孔が規則的又は不規則的に設けられていることにより、放熱面積が大きくなるので、いっそう優れた放熱効率を有するものが得られる。上記の本考案の第８項に記載のＬＥＤライトは、前記第１項記載の放熱構造が、光反射兼放熱フードの内面及び外面の少なくとも一面に無数のエンボス状凹凸模様を有することにより、製造が容易であると共に、反射効率を向上乃至維持しつつ、優れた放熱効果が得られる。前記第１項乃至第８項のいずれかに記載の光反射兼放熱フードが、装飾カバー中に内蔵されていることにより、ＬＥＤライトの装飾性の優れたものが得られると共に光反射兼放熱フードの外的刺激から保護されるという優れた効果を奏するものである。なお、前記第２項から第９項までに記載のＬＥＤライトは、放熱構造を有するので、ばかりでなく、反射板の反射効率を向上乃至維持しつつ、放熱効果を向上させることができるばかりでなく、同時にコスト削減にも寄与するという優れた効果を奏するものである。
【図面の簡単な説明】
【００１０】
【図１】本考案のＬＥＤライトを示す斜視図である。
【図２】本考案のＬＥＤライトを示す断面図である。
【図３】本考案のＬＥＤライトの別の例を示す断面図である。
【図４】本考案のＬＥＤライトの光反射兼放熱フードの表面形状を示す部分斜視図である。
【図５】図４に示す光反射兼放熱フードの別の例を示す部分斜視図である。
【図６】本考案のＬＥＤライトの光反射兼放熱フード部材の構造を示す部分断面図である。
【図７】図６に示す光反射兼放熱フードの別の例を示す部分斜視図である。
【図８】本考案のＬＥＤライトの光反射兼放熱フード部材の別の構造を示す部分平面図である。
【図９】本考案のＬＥＤライトの光反射兼放熱フード部材の表面に設けられる突起の形状の一部を示す部分斜視図である。
【考案を実施するための形態】
【００１１】
以下に、本考案の実施の形態を図面で説明するが、本考案は、これに限定されるものではない。図１は、本考案のＬＥＤライトを示す斜視図である。図２は、本考案のＬＥＤライトを示す断面図である。図３は、本考案のＬＥＤライトの別の例を示す断面図である。図４は、本考案のＬＥＤライトの光反射兼放熱フードの表面形状を示す部分斜視図である。図５は、図４に示す光反射兼放熱フードの別の例を示す部分斜視図である。図６は、本考案のＬＥＤライトの光反射兼放熱フード部材の構造を示す部分断面図である。図７は、図６に示す光反射兼放熱フードの別の例を示す部分斜視図である。図８は、本考案のＬＥＤライトの光反射兼放熱フード部材の別の構造を示す部分平面図である。図９は、本考案のＬＥＤライトの光反射兼放熱フード部材の表面に設けられる突起の形状の一部を示す部分斜視図である。
【００１２】
図１及び図２では、装飾カバー１は設けても設けなくてもよいが、ここでは装飾カバー１を設けた場合について説明する。図１において、本考案のＬＥＤライトＩは、底面２１から筒状体の壁面１２がテーパー状に延長し、かつ底面２１より大きな開口面２２を有する装飾カバー１を有し、該装飾カバー１に囲まれてＬＥＤライト本体１３を有し、該ライト本体１３又は装飾カバー１を支持する支持部１１を介して固定部材１０に接続されており、該固定部材１０は、例えば、クリップなどでよく、机の縁、桟、柱などに挟んで取り付けることができる。図２において、ＬＥＤライト本体１３は、光反射兼放熱フード２を有し、かつ該底面２１にはＬＥＤ搭載部材４を有する。装飾カバー１中に光反射兼放熱フード２を有し、更にこの光反射兼放熱フード２の底面２１にはＬＥＤ搭載部材４に搭載されたＬＥＤが設けられており、該ＬＥＤ搭載部材４と光反射兼放熱フード２の平らな底面２１の内面とが密着して設けられている。これによりＬＥＤ（これをＬＥＤランプともいう。）から放散される熱が底面２１に伝導し、更に光反射兼放熱フード２全体に均一に熱伝導することにより該表面又は裏面等から放熱される。
【００１３】
図３では、ＬＥＤライト本体１３の光反射兼放熱フード２には、該フード２の放熱構造が、放熱カバーの内面から外面に向かってに無数の貫通孔６が規則的又は不規則的に設けられている。これらの貫通孔６を設けることによって光反射兼放熱フード２の表面積が増大し、その結果、光反射兼放熱フード２の放熱性が向上し、放熱効率が上がる。これらの貫通孔６の直径は極めて小さく１０μｍ〜１０００μｍが好ましい。更に好ましくは、１０μｍ〜１００ミクロンであり、これらの孔６は孔径が小さいので、これらの孔６からもれる光量は光反射兼放熱フード２としての役割が損なわれることはない。本考案のＬＥＤライト本体１３の後方部において電源用コード５が接続されており、この電源用コード５の端部にはプラグを有しており、このプラグは、直接、コンセント（図示せず）へ挿入することによりＬＥＤライト本体１３のＬＥＤ又はＬＥＤランプ１３を点燈させることができる。またこの電源用コード５の途中にアダプターを接続し、このアダプターを介して、前記コンセントから電源を取る（電気を取る）のではなく、蓄電池、電池、例えば、単三電池などから電源をとってもよく、更に太陽電池からなる電源、ＵＳＢ電源、車内に取り付けられている電源など各種の周知乃至公知の電源を使用することができ、電源の種類に限定されるものでない。
【００１４】
図４〜図８は、本考案に用いられる光反射兼放熱フード２の放熱構造の部分図を示したもので、図４、図５は、ジグザグ型の凹凸部からなる。即ち、図４はでは、光反射兼放熱フード２の片面にジグザグ型の凹凸が設けられており、また図５では、該ジグザグ型の凹凸が光反射兼放熱フード２の両面に設けられている。これにより反射効率を維持しつつ、極めて良好な放熱効果が得られる。またフード２の片面又は両面に前記ジグザグ型の凹凸に代えて凸部が丸みを帯びた波型を設けてもよいことは言うまでもない。
【００１５】
更に図６では、光反射兼放熱フード２の全体が波型８に形成されている。図７では、図６に示す波型８に形成された光反射兼放熱フード２に更に貫通孔６が設けられている。このように構成することにより光反射兼放熱フードの役割と共にいっそうの放熱効果を得ることができる。図８は、光反射兼放熱フード２の表面にエンボス状凹凸模様９を形成したものであり、放熱効果に優れていることはもちろんのこと、製造が簡単で、かつコスト削減にも寄与するという優れた効果を奏するものである。図９は、光反射兼放熱フード２の表面に形成する突起の形状が、円柱型、角柱型、円錐型、角錐型、逆角柱型、逆円錐型及び逆角錐型のいずれかを少なくとも一面に有するものからなり、具体的には、円柱型は円柱ａである。この他楕円柱でもよい。角柱型には、ｂ又はｃがあり、例えば、断面が三角形ｃ、四辺形ｂ、長方形、五角形又は六角形などであってもよい。更に円錐型ｄ、角錐型には三角錐ｅ、四角錐ｆ、逆角錐型には、逆三角錐ｈ、逆四角錐ｇなどが挙げられる。なお、前述の装飾カバー１の少なくとも一面に前記図３乃至図９に示される光反射兼放熱フード２のような構造にしてもよいことはいうまでもない。これにより装飾性が向上するばかりでなく、いっそう熱の流れが遮断されることなく流通するので、放熱効果を助長することができる。この場合には、特に装飾カバー１と光反射兼放熱フード２との接触面にわずかなクリアランスを設けることが好ましい。
【産業上の利用可能性】
【００１６】
本考案では、前述の如き作用効果を発揮するので、その用途としては、移動可能な場所に設置することができる家庭用のライト、店舗用など各種の用途に使用することができ、実用上極めて有用なＬＥＤライトが得られる。
【符号の説明】
【００１７】
１  装飾カバー
２  光反射兼放熱フード
３  ＬＥＤ
４  ＬＥＤ搭載部材
５  コード
６  貫通孔
７  ジグザグ凹凸部
８  波型
９  エンボス状凹凸模様
１０  固定部材
１１  支持部
１２  筒状体の壁面
１３  ＬＥＤライト本体
２１  底面
２２  開口部
Ｉ  ＬＥＤライト
【図１】
0003162155.tif 000003
【図２】
0003162155.tif 000004
【図３】
0003162155.tif 000005
【図４】
0003162155.tif 000006
【図５】
0003162155.tif 000007
【図６】
0003162155.tif 000008
【図７】
0003162155.tif 000009
【図８】
0003162155.tif 000010
【図９】
0003162155.tif 000011